(57)【特許請求の範囲】
【請求項１】
ユーザを識別するデータと、トランザクションオブジェクト（１１０）、たとえば製品またはサービスのオブジェクト識別子（１３１）とを、トランザクションドキュメント（１９０）で結合し、前記トランザクションドキュメント（１９０）を処理ユニット（２３、４３）に転送するトランザクション方法であって、
前記トランザクションオブジェクト（１１０）に関するオブジェクト画像データ（１２０）を前記ユーザのために視覚化し、
視覚化されたオブジェクト画像データ（１２０）を前記ユーザが観察している間に、前記ユーザの眼の特徴（１８０）を決定し、そして、
決定された眼の特徴（１８０）と、前記トランザクションオブジェクト（１１０）に関するオブジェクトデータ（１３０）とを、前記トランザクションドキュメント（１９０）で結合するものであり、前記オブジェクトデータ（１３０）が少なくとも前記オブジェクト識別子（１３１）を含むことを特徴とする、方法。
【請求項２】
前記オブジェクト画像データ（１２０）に対応する画像信号（１２１）を前記ユーザの網膜（５１）に直接投影することにより、前記オブジェクト画像データ（１２０）を前記ユーザのために視覚化することを特徴とする、請求項１に記載の方法。
【請求項３】
眼の一部（５１）から反射された光（１７１）が少なくともこの眼の一部（５１）の１つの部分領域から検出され、感光性エレメント（４７２）に導かれることにより、前記眼の特徴（１８０）が決定されることを特徴とする、請求項１または２に記載の方法。
【請求項４】
前記眼の特徴が少なくとも前記ユーザの網膜（５１）の網膜パターン（１８０）を含み、検出された光（１７１）から反射データ（１７０）が決定され、前記光（１７１）は投影された前記画像信号（１２１）に基づいて前記網膜（５１）によって反射され、および、網膜パターン（１８０）は、決定された反射データ（１７０）と、付随するオブジェクト画像データ（１２０）とから決定されることを特徴とする、請求項２または３に記載の方法。
【請求項５】
前記眼の特徴は少なくとも前記ユーザの網膜（５１）の網膜パターン（１８０）を含み、前記網膜パターン（１８０）は検出された光（１７１）から決定され、前記検出された光（１７１）は投影された光に基づいて前記網膜（５１）により反射され、前記投影された光は前記画像信号（１２１）とは異なる波長を持つことを特徴とする、請求項２または３に記載の方法。
【請求項６】
眼の特徴（１８０）に割り当てられているユーザデータ（１５０）が処理ユニット（２３、４３）で決定されることを特徴とする、請求項１から５のいずれか一項に記載の方法。
【請求項７】
前記オブジェクトデータ（１３０）がさらにオブジェクト提供者識別子（１３２）を含むことを特徴とする、請求項１から６のいずれか一項に記載の方法。
【請求項８】
前記トランザクションドキュメント（１９０）が遠隔通信網（３）を経由して、サービスセンタ（２）の前記処理ユニット（２３）に転送されることを特徴とする、請求項１から７のいずれか一項に記載の方法。
【請求項９】
前記オブジェクト画像データ（１２０）を遠隔通信網（３）を経由してサービスセンタ（２）から取り出すことを特徴とする、請求項１から８のいずれか一項に記載の方法。
【請求項１０】
トランザクションオブジェクト（１１０）、たとえば製品またはサービスに関するオブジェクトデータ（１２０）をユーザのために視覚化するディスプレイ手段（４６）と、
前記ユーザの眼の特長（１８０）を決定する手段（４７）とを備え、前記眼の特徴（１８０）が、視覚化されたオブジェクト画像データ（１２０）を前記ユーザが観察する間に決定され、さらに、
決定された眼の特徴（１８０）と、前記トランザクションオブジェクト（１１０）に関するオブジェクトデータ（１３０）とをトランザクションドキュメント（１９０）で結合し、かつトランザクションドキュメント（１９０）を処理ユニットに転送する手段（４２）を備え、前記オブジェクトデータ（１３０）は少なくとも１つのオブジェクト識別子（１３１）を含むことを特徴とする装置（４）。
【請求項１１】
前記ディスプレイ手段（４６）が網膜ディスプレイ装置を備え、前記網膜ディスプレイ装置は、前記オブジェクト画像データ（１２０）に対応する画像信号（１２１）を前記ユーザの網膜（５１）に直接投影することにより、前記オブジェクト画像データ（１２０）を前記ユーザのために視覚化することを特徴とする請求項１０に記載の装置（４）。
【請求項１２】
眼の特徴（１８０）を決定する前記手段が、眼の一部（５１）から反射された光（１７１）を少なくともこの眼の一部（５１）の部分領域から検出するスキャナ（４７）を備えることを特徴とする、請求項１０または１１に記載の装置（４）。
【請求項１３】
前記スキャナ（４７）が少なくとも前記ユーザの網膜（５１）から反射された光（１７１）を検出し、前記光（１７１）は投影された前記画像信号（１２１）に基づいて前記網膜（５１）により反射されるものであり、前記装置（４）はさらに、
少なくとも前記網膜（５１）の網膜パターン（１８０）を、検出された光（１７１）に対応する検出された反射データ（１７０）と、付随するオブジェクト画像データ（１２０）とから決定する網膜決定モジュール（４４）を備えることを特徴とする、請求項１２に記載の装置（４）。
【請求項１４】
前記スキャナ（４７）が１つの光源を備え、前記光源は前記画像信号（１２１）とは異なる波長を持つ光を放射し、前記スキャナ（４７）は少なくとも前記ユーザの網膜（５１）から反射された光（１７１）を検出し、前記光（１７１）は前記光源から投影された光に基づいて前記網膜（５１）により反射されることを特徴とする、請求項１２に記載の装置（４）。
【請求項１５】
前記装置が前記処理ユニット（４３）を備え、前記処理ユニット（４３）が眼の特徴（１８０）に割り当てられているユーザデータ（１５０）を決定することを特徴とする、請求項１０から１４のいずれか一項に記載の装置（４）。
【請求項１６】
前記装置はさらに、前記トランザクションドキュメント（１９０）を遠隔通信網（３）を経由してサービスセンタ（２）の前記処理ユニット（２３）に転送する通信モジュール（４１）を備えることを特徴とする、請求項１０から１５のいずれか一項に記載の装置（４）。
【請求項１７】
前記通信モジュール（４１）が、前記オブジェクト画像データ（１２０）を、遠隔通信網（３）を経由してサービスセンタ（２、７）から取り出すことを特徴とする、請求項１６に記載の装置（４）。
【発明の詳細な説明】
【０００１】
本発明はトランザクション手順およびそれに適した装置に関する。とくに本発明は、ユーザを識別するデータと、トランザクションオブジェクト、たとえば製品またはサービスのオブジェクト識別子とを、トランザクションドキュメントで結合し、このトランザクションドキュメントを処理ユニットに導くトランザクション手順と、それに適した装置に関する。
【０００２】
知られているトランザクション手順にはユーザが、たとえば注文トランザクション手順が含まれ、そこで顧客が製品および／またはサービスの注文をサービスセンターに転送するが、このトランザクション手順においては、識別モジュール、たとえばクレジットカード、顧客カード、またはＳＩＭカード（Ｓｕｂｓｃｒｉｂｅｒ  Ｉｄｅｎｔｉｆｉｃａｔｉｏｎ  Ｍｏｄｕｌｅ）、および／または個人コード（パスワード、ＰＩＮ番号）を用いてユーザを識別しなければならないのが典型的である。この手順の欠点として、これら識別モジュールを紛失したり盗まれたりすることがあり、したがって個人コードを追加することによって権限のない者の使用を困難にしても、当該ユーザがふたたび正しく識別されるのは、代替モジュールを受け取った後のことであるという問題がある。そればかりか多くのユーザには、増加するばかりの識別モジュールを携行し、それに付随する個人コードを記憶するのはすでに苦労の種となっている。
【０００３】
本発明の課題は、ユーザを含めた新しくてよりよいトランザクション手順と、それに適したおりかつとくに前記の欠点を持たない装置を提案することである。
本発明によれば、この目標はとくに独立請求項の諸要素によって達成される。その他の有利な実施形態は、その他の従属請求項と下記の説明に記す。
【０００４】
この目標は本発明においてはとくに次のようにして達成する。すなわち、トランザクションオブジェクト、たとえば製品またはサービスに関するオブジェクト画像データを、当該ユーザのために視覚化する。その視覚化されたオブジェクトをユーザが観察する間に、ユーザの眼の特徴を決定する。そしてその決定された眼のデータと、そのトランザクションオブジェクトに関連して少なくとも１つのオブジェクト識別子を含む対照データとを、トランザクションドキュメントで結合し、そうするとそのトランザクションドキュメントは処理ユニットに転送可能となる。このトランザクション手順の長所は、眼の特徴を生物計測的識別手段として使用し、したがってユーザは在来型の識別モジュールを携行したり、追加的な個人コードを記憶したりする必要がもはやなくなることである。オブジェクト画像データはさらに、ユーザに対して当該トランザクションオブジェクトを視覚化し、たとえば二次元または三次元画像、グラフィックス、文書によるテキストといった形態で、あるいはこれら様々な形態の組み合わせを用いて示す。
【０００５】
好ましい一実施形態では、これらオブジェクト画像データに対応する画像信号を直接ユーザの網膜に投影することにより、オブジェクト画像データをユーザのために視覚化する。実施形態に応じて、画像信号を一方の眼の網膜に、または両方の眼の網膜に投影するが、この場合両眼の網膜への投影は、とくに空間的（三次元的）表示に有利であり、立体的な認識が可能となる。
【０００６】
好ましくは眼の特徴を次のようにして決定する。眼の一部、たとえば虹彩または網膜で反射した光をこれら眼の一部の部分領域から検出し、感光性のエレメントに導く。実施形態に応じて、眼の特徴を両眼の一部から、またはただ一方の眼から検出する方法がある。
【０００７】
好ましい一実施形態では、眼の特徴は、当該ユーザの網膜の少なくとも網膜パターンを含む。この場合網膜パターンは、決定の反射データとそれに付随するオブジェクト画像から、とくに差分操作によって決定され、またこの反射データは検出された光から決定されるが、この光は、オブジェクト画像データに対応する投影された画像信号に基づいて、網膜が反射するものである。この実施形態は、ユーザを識別するデータが、トランザクションオブジェクトの視覚化された画像データをユーザが観察する間の分離できない１ステップ（「ａｔｏｍｉｃ  ｆｕｎｃｔｉｏｎ」）中に生じるという利点がある。決定された反射データは、すなわちトランザクションオブジェクトの画像データと、このユーザの１つまたは複数の網膜パターンとの（視覚的）結合を表し、この画像データは対応する画像信号によりユーザの網膜に直接投影されるものである。反射データからの本来の網膜パターンの決定は次のような処理ユニットにより、すなわち、ユーザにおけるローカルなたとえば移動体の装置に設けられた、またはユーザから離れたサービスセンタに設けられた処理ユニットにより実行される。後者の場合トランザクションドキュメントは、遠隔通信網たとえば地上電話回線網または移動体電話回線網（たとえばＧＳＭ−またはＵＭＴＳ回線網）、またはそのほかのたとえば衛星ベースの移動通信網を経由して、サービスセンタの処理ユニットに転送される。対応する実施形態では、オブジェクト画像データが、遠隔通信網たとえば地上電話回線網または移動体電話回線網（たとえばＧＳＭ−またはＵＭＴＳ回線網）、またはそのほかのたとえば衛星ベースの移動通信網を経由して、サービスセンタから引き出される。
【０００８】
トランザクションドキュメントをさらに処理するため、眼の特徴に割り当てられているユーザデータを、処理ユニットで決定するのが有利である。この場合これらユーザデータは、たとえば名前、配達アドレス、清算方法、場合によっては清算アドレスや、ユーザに関するその他のデータを含むものとする。
【０００９】
一実施形態では、オブジェクトデータはさらにオブジェクト提供者識別子を含む。これには次のような利点がある。すなわち、トランザクションドキュメントは、当該ユーザや当該トランザクションオブジェクトを識別するデータを含むのみならず、そのトランザクションオブジェクトを担当するサービス提供者を識別する。たとえば、そこから製品またはサービスを購入することができる、あるいは金融トランザクションを担当するサービス提供者であって、その金融トランザクションは対応するオブジェクト画像データを用いてユーザのため視覚化されていたものである。したがってトランザクションオブジェクトのオブジェクト識別子と、問題とするユーザに関するユーザデータを、たとえばオブジェクト注文または金融トランザクションとして、そのサービス提供者に転送することができる。
【００１０】
本発明によるトランザクション手順のほか、本発明はとくに、このトランザクション手順を実行するための装置とサービスセンタにも関する。
下記に１つの例により本発明の１つの実施形態を説明する。この実施形態の例を添付図面に図示した。
【００１１】
図１で参照番号１１０はトランザクションオブジェクトであって、これはオブジェクトデータベース２７に記憶されており、製品またはサービスといったオブジェクトに関するデータを含む。トランザクションオブジェクト１１０はオブジェクトデータ１３０を含み、このデータはオブジェクト識別子１３１とオブジェクト提供者識別子１３２を含む。ここでオブジェクト提供者識別子１３２は、当該製品ないし当該サービスの提供者を識別する。トランザクションオブジェクト１１０はさらにオブジェクト画像データ１２０、すなわちたとえば圧縮されたデジタル画像データを持つファイルを含む。この画像データはトランザクションオブジェクト１１０に関するもので、たとえば提供されている製品の画像または提供されているサービスの説明グラフィックスである。これらの画像データを問題とするユーザに、たとえば二次元または三次元画像、グラフィックス、文章によるテキストの形態で、あるいはこれら様々な形態の組み合わせとして、動画（ビデオ）または静止画として視覚化することができる。一変形形態ではこれら画像データがさらに音声データをも含み（マルチメディアデータ）、問題とするユーザのためには適切な電子的音響再生装置を用いて、この音声データを再生することができる。
【００１２】
図２に示すように、装置４のユーザはトランザクションオブジェクト１１０を、遠隔通信網３、とくに地上電話回線網または移動体電話回線網（たとえばＧＳＭ、ＵＭＴＳ電話回線網）、またはそのほかのたとえば衛星ベースの移動体通信網を経由して、サービスセンタ２のオブジェクトデータベース２７から、またはオブジェクト提供者７またはサービス提供者７のオブジェクトデータベース２７から直接に引き出すことができる。その際たとえば適切なブラウザ、たとえばＷＡＰベースのブラウザ（Ｗｉｒｅｌｅｓｓ  Ａｐｐｌｉｃａｔｉｏｎ  Ｐｒｏｔｏｃｏｌ）、またはそのほかのプログラミングされた適切なソフトウェアモジュールを用い、そして通信モジュール４１を利用する。トランザクションオブジェクト１１０は、取り外し可能なデータ媒体たとえばＣＤ−ＲＯＭで、装置４にロードすることができる。通信モジュール４１は、他のユニットと遠隔通信網３を経由して通信するため、つまりデータを交換するためのハードウェア、ソフトウェアコンポーネントをすべて備える。装置４が、たとえば公共のアクセスが可能なターミナルといった、固定設置された装置であるか、あるいは移動体装置であるかに応じて、通信モジュール４１は地上電話網用、あるいは移動体電話網用のものが設計される。
【００１３】
図１に示すように、受け取られたトランザクションオブジェクト１１０から、ステップＳ１でオブジェクト画像データ１２０が取り出され、このオブジェクトデータ１２０に対応する画像信号１２１が、ユーザの網膜５１に直接投影される。その際指定に応じて、画像信号１２１が当該ユーザの一方または両方の眼５の網膜５１に投影される。図２に示すように、装置４はこの目的のため、（バーチャル）網膜ディスプレイ装置４６を備える。
【００１４】
バーチャル網膜ディスプレイ装置（Ｖｉｒｔｕａｌ  Ｒｅｔｉｎａｌ  Ｄｉｓｐｌａｙ、ＶＲＤ）は、画像信号をユーザの網膜５１に直接投影できるものであるが、この装置はたとえば特許出願ＷＯ９４／０９４７２、ＷＯ９７／３７３３９、ＷＯ９８／１３２７０に記載されている。これらのバーチャル網膜ディスプレイ装置には、ビデオインタフェースを経由して、画像データを供給できる。この供給は、たとえばＲＧＢ信号、ＮＴＳＣ信号、ＶＧＡ信号、あるいはそのほかのフォーマット化されたカラーまたは白黒のビデオまたはグラフィックス信号の形態で行われる。前記の特許文書ＷＯ９４／０９４７２、ＷＯ９７／３７３３９、ＷＯ９８／１３２７０に記載のバーチャル網膜ディスプレイ装置、ないしはそこに記載のビデオインタフェースを、ほかのフォーマットの画像データを能率よく受け取ることができるように適合させれば有利な場合があることは、専門家であれば理解するであろう。ここには図示しないインタフェースモジュールを用いて、受け取ったオブジェクト画像データを適切にビデオインタフェースに適合させることもできるし、あるいは受け取ったオブジェクト画像データ１２０を次のように変換することも、すなわち、これらデータがビデオインタフェースに供給されて、バーチャル網膜ディスプレイ装置４６によってユーザのために視覚化されるように変換することもできる。
【００１５】
図２に概略を示すように、バーチャル網膜ディスプレイ装置４６は眼ポジション決定モジュール４６１を備え、このモジュールはユーザが画像を観察するとき、その時点の眼の位置を決定することができる。眼ポジション決定モジュール（Ｅｙｅ  Ｔｒａｃｋｅｒ）は、ユーザの瞳５２の位置に基づいてその時点の眼のポジションを決定するものであるが、これも上記の特許出願ＷＯ９４／０９４７２に記載されている。専門家ならこれを拡張して、決定された眼ポジションが、適切なインタフェースを経由して、装置４のそのほかのコンポーネント、とくにバーチャル網膜ディスプレイ装置４６の外部にあるコンポーネントに、利用可能となるようにすることができる。その仕様によっては、両眼の数値を利用できるようにすることができる。決定されたその時点の眼ポジションを、たとえば網膜５１への画像信号１２１の投影を制御するのに使用できる。たとえば、ユーザが観察する画像領域がユーザの解像度が最も高い網膜領域、中心窩に来るように制御する。あるいはその画像領域を事前定義されたポジション値と比較することができる。そしてその時点の眼ポジションと事前定義された眼ポジションが一致する場合、事前定義された機能を実行することができる。その結果、本来の光学的な、眼ポジションによって制御可能なユーザインタフェースを定義することができ、その際事前定義されたポジションをユーザに対して画像的に、たとえば在来型のＧＵＩオブジェクト（Ｇｒａｐｈｉｃａｌ  Ｕｓｅｒ  Ｉｎｔｅｒｆａｃｅ）の形態で表示することができる。
【００１６】
図１では、ステップＳ２で、上記の画像信号１２１に基づいて、網膜５１で反射した光１７１が検出され、検出された光の値から反射データ１７０が生成される。図２に示すように、装置４はこの目的で適切なスキャナ４７を備え、このスキャナは網膜５１から反射された光１７１を、たとえばビームスプリッタ４７１により、（少なくとも）１つの感光性エレメント４７２に導く。このようなスキャナは多色画像用の仕様とすることもでき、網膜パターン検出に、とくに網膜の静脈が形成するパターンを検出するのに適しており、このようなスキャナはたとえば上記の特許出願ＷＯ９８／１３７２０に記載されている。オブジェクト画像データ１２０に対応する画像信号１２１は、バーチャル網膜ディスプレイ装置４６から、たとえば適切なマイクロエレクトロニクス機構的な可動式ミラーによって、網膜５１の像点５４のラスタに投影される。このためブームスプリッタ４７１を経由して（少なくとも１つの）感光性エレメント４７２に導かれる反射光線１７１は、反射された像点５４の同一ラスタに対応する。その結果、このオブジェクト画像データ１２０に対応し付随する反射データ１７０を検出することができる。
【００１７】
１つまたは複数の感光性エレメント４７２が検出した光の値は、たとえばデータ生成モジュール４５でデジタル化され、図１に示したように、これにより得られた反射データ１７０と対応し付随するオブジェクト画像データ１２０から、ステップＳ３で網膜パターン１８０を生成するが、その際とくに差分操作を用いる。ステップＳ３は、いずれの投影された／反射された像点５４に対してもシーケンシャルに、あるいは投影された／反射されたすべての像点５４に対して反射データ１７０が存在して初めて実行できる。データ生成モジュール４５はたとえば、装置４のプロセッサに実現されるプログラミングされたソフトウェアモジュール、またはハードウェアモジュールたとえば内蔵された回路、またはこれら両者の組み合わせである。１つの変形形態では、たとえばユーザが装置４への信号を用いて、たとえばここには図示しない操作エレメントを用いて、または上記の光学的ユーザインタフェースを経由する眼のポジショニングによって、次のことを表示した場合にかぎり、網膜パターン１８０が生成される。すなわちそのユーザが、視覚化された当該トランザクションオブジェクト１１０のためにトランザクションを開始したいこと、すなわちたとえば対応する製品または対応するサービスを要求したいことを表示する場合である。図２では、網膜パターン１８０の決定を担当する網膜決定モジュール４４、すなわち装置４のプロセッサにおけるプログラミングされたソフトウェアモジュールとして、またはハードウェアの形態、たとえば内蔵された回路として作られた網膜決定モジュールの概略を図示している。これと異なる実施形態、すなわち網膜パターン１８０´の決定をサービスセンタ２で行う実施形態については、後ほど詳説する。ここでは、この好ましい実施形態においては網膜パターンを眼の特徴として検出すること、しかしその代わりとして（オブジェクト画像データのいかんにかかわらず）虹彩のパターンをも検出できることに触れておくべきであろう。
【００１８】
次のようなことも可能である。すなわち、網膜パターンを決定するために別個の光源を、たとえばＬＥＤ（Ｌｉｇｈｔ  Ｅｍｉｔｔｉｎｇ  Ｄｉｏｄｅ）またはレーザを使用し、その光線を、たとえば適切でマイクロエレクトロメカニクス可動式ミラーによって、像点５４のラスタとして網膜５１に投影する。その結果、検出された反射データ１７０は、―この反射データ１７０は上記のように、反射された光線１７１から得られるが、これはたとえばこの光線をビームスプリッタ４７１経由で感光性エレメント４７２に導き、データ生成モジュール４５でデジタル化することによって行われる―そのほかの操作を実行することなく（とくにステップＳ２を行わずに）網膜パターンに対応することになる。ここで網膜パターンの直接検出は、ユーザが画像データ１２０を観察している間に同時に行うことができる。ただしその場合、画像データ１２０に対応する画像信号１２１とは異なる波長をもつ光を、別個の光源が放射するものとする。たとえばこの光源は赤外線光源であって、使用された感光性エレメント４７２はこの光に対応した設計であるものとする。
【００１９】
専門家なら次のことを理解するであろう。本発明にいうバーチャル網膜ディスプレイ装置４６やスキャナ４７が使用するコンポーネント、たとえば回転可能なマイクロエレクトロニクス的ミラー、光源または感光性エレメントなどのコンポーネントは、ディスプレイ装置４６やスキャナ４７の様々な実施形態で多目的に使用することもできるし、あるいはディスプレイ装置４６およびスキャナ４７のためにそれぞれ別個のコンポーネントを使用できる。個々のコンポーネント、たとえばＬＥＤ光源や感光性エレメントを、多機能コンポーネントで代替することができる。
【００２０】
図１に示すようにステップＳ４では、決定された網膜パターン１８０と、視覚化された当該トランザクションオブジェクト１１０のオブジェクトデータ１３０とを、トランザクションドキュメント１９０で結合する。このオブジェクトデータ１３０は少なくとも１つのオブジェクト識別子１３１を含むが、さらにオブジェクト提供者識別子１３２も含むことができる。図２は、この操作を担当するトランザクションモジュール４２を図式的に示す。このトランザクションモジュール４２は、たとえばプログラミングされたソフトウェアモジュールとして装置４のプロセッサに、あるいはたとえば内蔵型の回路といったハードウェアの形態で設けられる。このトランザクションモジュール４２はたとえば補助的な暗号機能を備える。たとえばトランザクションドキュメント１９０を電子的に（デジタルに）符号化するためである。トランザクションモジュール４２から、たとえばトランザクション番号の挿入といった、そのほかの通常に機能を得ることもできる。
【００２１】
ステップＳ５でさらに処理を行うため、トランザクションドキュメント１９０は処理ユニット２３、４３に転送される。図２は、これら処理ユニット２３、４３を実装した２つの異なる変形形態を図式的に示す。第１の好ましい変形形態ではサービスセンタ２に処理ユニット２３があり、トランザクションドキュメント１９０は、装置４の通信モジュール４１により、遠隔通信網３を経由してサービスセンタ２に転送され、そこで通人モジュール２１に受け取られて、処理ユニット２３に導かれる。第２の変形形態では処理ユニット４３が装置４にあり、したがって図１に示したステップＳ５をローカルに装置４で実行できる。
【００２２】
図１に示すようにステップＳ５では、トランザクションドキュメント１９０からそこに含まれる網膜パターン１８０、１８０´を取り出し、ユーザデータベース２６から得たユーザデータセット１４０の網膜パターン１４１と比較する。一致したときは当該ユーザに割り当てられたユーザデータ１５０を決定するためである。仕様に応じて、この網膜パターンを当該ユーザの割り当てられたユーザ識別子といっしょに、別個の眼の特徴データベース６１に、とくに網膜データベースに記憶し、このデータベースはたとえばＴＴＰユニット６（Ｔｒｕｓｔｅｄ  Ｔｈｉｒｄ  Ｐａｒｔｙ）の証明を受ける。その結果まずユーザ識別子が決定され、次にこのユーザ識別子に割り当てられたユーザデータがユーザデータベース２６から引き出される。このユーザデータベースは、たとえばほかのユニットにより、たとえば遠隔通信網運用者により管理されている。ローカルな処理ユニット４３を持つ上記の変形形態では、装置４はたとえばユーザデータセット１４０を持つローカルな表を含む。ここでは、トランザクションドキュメント１９０に含まれる網膜パターン１８０、１８０´と、ユーザデータベース２６ないしは網膜データベースまたは装置４のローカルな表に記憶されていた網膜パターン１４１との一致は、たとえば事前定義された最小限必要な相関値で相関する場合に得られることに言及すべきであろう。この比較を行うため、処理ユニット２３、４３はたとえば画像処理機能をも備える。そしてこの処理ユニットは、プログラミングされたソフトウェアモジュールとして、サービスセンタ２または装置４において、サービスセンタ２のプロセッサまたは装置４のプロセッサに、またはたとえば内蔵型の回路といったハードウェアの形態で設けられる。
【００２３】
図１に示すように、ステップＳ５からは１つのトランザクションデータセット１６０が生じ、このデータセットは転送されたオブジェクトデータ１３０を含み、このオブジェクトデータはオブジェクト識別子１３１と、場合によってはオブジェクト提供者識別子１３２と、決定されたユーザデータ１５０とを持つ。ユーザデータ１５０が含むものには、たとえば網膜パターン１８０、１８０´、１４１によって識別されたユーザの名前、ユーザの配達アドレス、場合によっては支払方法と、関連する支払いデータ、たとえばクレジットカードによる支払いや付随するクレジットカード番号、または銀行口座による支払いと付随する清算アドレス、場合によってはユーザに関するそのほかのデータ、たとえばユーザの好む言語がある。
【００２４】
トランザクションドキュメント１９０を受け取ったということ、場合によってはトランザクションドキュメント１９０に含まれる眼の特徴１８０、１８０´に基づいてユーザの識別に成功したということを、ユーザに対して、たとえば処理ユニット２３、４３が確認応答することができる。そして仕様に応じ、トランザクションのさらなる処理を続行するか、または中断する可能性をユーザにあたえることができる。ステップＳ５から生じたトランザクションデータセット１６０を、装置４の処理ユニット４３から、またはサービスセンタ２のプログラミングされた転送モジュール２２から、担当するユニットに転送できる。たとえばトランザクションデータセット１６０を、遠隔通信網３を経由して、担当するオブジェクト提供者７またはサービス提供者７に転送できる。そしてそこでこのデータセットを、たとえばそれ以上サービスセンタ２または装置４の関与を受けることなく、さらに処理することができる。トランザクションデータセット１６０を、オブジェクト提供者識別子１３２で識別された当該オブジェクト提供者７に転送するため、装置４はたとえばオブジェクト提供者データを含む表を、サービスセンタ２は、図２に示すようにオブジェクト提供者、またはサービス提供者データベース２５を備える。
【００２５】
すでに上記で触れたことであるが、もう１つの別な実施形態では、反射データ１７０とそれに付随するオブジェクト画像データ１２０から得た網膜パターン１８０´の決定を、サービスセンタ２で行う。この別な方法は、図１では点線で示している。点線１７２は、検出された反射データ１７０を直接に（ステップＳ３を行わずに）ステップＳ４に導く。そしてオブジェクトデータ１３０と、トランザクションドキュメント１９０で結合する。新たなステップＳ３´は、図２ではサービスセンタ２の網膜決定モジュール２４で行われるものであるが、このステップでは網膜パターン１８０´を、トランザクションドキュメント１９０に含まれる反射データ１７０と、それに付随し、トランザクションドキュメント１９０に含まれるオブジェクト識別子１３１で識別されるオブジェクト画像データ１２０とから、とくに差分操作により生成する。そしてステップＳ５を実行するために、処理ユニット２３に転送される。この網膜決定モジュール２４は、たとえばプログラミングされたソフトウェアモジュールであって、これはサービスセンタ２のプロセッサに設けられるか、あるいはたとえば内蔵型の回路といったハードウェアモジュールであるか、あるいはこれら両者の組み合わせである。
【００２６】
サービスセンタ２は１つまたは複数の（ネットワーク化された）コンピュータ上で実施され、通信モジュール２１においてすべてのハードウェア―、およびソフトウェアコンポーネントを利用する。これはほかのユニットと遠隔通信網３を介して通信するため、とくにデータを交換するためである。ここで触れておくべきは、遠隔通信網３は図２では単に概略を示されているだけであって、たとえば様々な種類の遠隔通信網を含むことができることである。その例をあげると地上電話回線網、たとえば公共電話回線網、ＩＳＤＮネットワーク（Ｉｎｔｅｇｒａｔｅｄ  Ｓｅｒｖｉｃｅｓ  Ｄｉｇｉｔａｌ  Ｎｅｔｗｏｒｋ）、またはＩＰネットワーク（Ｉｎｔｅｒｎｅｔ  Ｐｒｏｔｏｃｏｌ）移動体電話回線網、たとえばＧＳＭ、ＵＭＴＳ回線網、あるいはそのほかのたとえば衛星ベースの移動体通信網がある。
【００２７】
装置４のコンポーネントを１つの共通のハウジングにまとめることができる。これらコンポーネントを、たがいに接続された様々なハウジング内に実装することもできる。たとえばとくには通信モジュール４１を既存の在来型通信機器により、たとえば通信可能なパーソナルコンピュータまたはとくに移動体通信機器により、たとえば移動体電話または通信可能なパーム―、またはラップトップコンピュータにより、実現することができる。この移動体通信機器は、有線接続されたまたは無線のインタフェースを経由して、装置４のほかのコンポーネントと接続されている。これら装置４のほかのコンポーネントは、ユーザが従来の眼鏡のようにかけることができるような状態で、たとえば１つのハウジング内でまたは適切なキャリヤの上に設けられている。ここではさらに次のことも述べておくべきであろう。すなわち、とくにスキャナ４７つきのバーチャル網膜ディスプレイ装置４６のコンポーネントは、たとえばトランザクションモジュール４２、網膜決定モジュール４４、およびデータ生成モジュール４５を、１つの共通のチップにまとめることができることである。したがって図示したステップＳ１、Ｓ２、Ｓ３およびＳ４を、ただ１つのチップというコンポーネントで実行できる。このことはとくに安全上の利点をもつ。データセットをただ１つのチップにおいて人為的操作を加えることなく処理でき、生じたトランザクションドキュメント１９０をこのチップで、たとえば（電子的にも）符号化できるからである。
【００２８】
ここでは次のことに言及するべきであろう。すなわちすでに述べたように、眼の特徴は単に網膜パターン１８０、１８０´だけでなく、眼のほかの部分、たとえば虹彩５３のパターンとすることもできる。そしてオブジェクト画像データ１２０を視覚化できるのは、対応する画像信号１２１をユーザの網膜５１に直接投影することによってだけではない。これはほかの在来型の表示方法によって、たとえばブラウン管、ＬＣＤディスプレイ、または適切な立体ディスプレイによって達成できる。さらにこの明細書では、トランザクション手順では通常のことである次のようなそのほかの諸特徴には、これ以上詳細に立ち入らないことに言及するべきであろう。それは、たとえば遠隔通信網３を経由して転送されたデータの符号化／復号化、サービスセンタ２の認可、およびトランザクション手順に関与するそのほかのユニット、あるいは受注確認、清算またはバックアップ／回復手順のプロトコルである。これらは専門家であれば知られている方法で実現できるからである。
【００２９】
問題とする運用者に対する前記のサービスセンタ２および／または固定設置された装置４の販売および賃貸や、問題とするユーザに対する前記（とくに移動体の）装置４の販売および賃貸だけではない。問題とするユーザに次のような部分モジュールを、とくに上記のコンポーネントであって次のようなものを販売できる。それは、１つのハウジングまたは１つの適切なキャリヤに設けられて、適切なインタフェースを経由して在来型の既存通信機器と接続でき、これにより既存通信機器を前記の装置４に拡張するものである。問題とする製造者に対してはさらに、装置４または前記の部分モジュールを製造するための前記のチップを販売できる。サービスセンタ２の運用者は、たとえばサービスセンタ２を経由して処理され、オブジェクト提供者７のトランザクションオブジェクト１１０に関するいずれのトランザクションに対しても、オブジェクト提供者と利用料の清算を行うことができる。
【図面の簡単な説明】
【図１】  本発明によるトランザクション手順の考えられるデータ／信号フローの略図を示すデータフローチャートである。
【図２】  本発明によるトランザクション手順を実行するための装置と、同じ目的で遠隔通信網を経由してこの装置と接続されているサービスセンタの略図を示すブロックダイヤグラムである。
【符号の説明】
２  サービスセンタ
３  遠隔通信網
４  装置
５  眼
６  ＴＴＰユニット（Ｔｒｕｓｔｅｄ  Ｔｈｉｒｄ  Ｐａｒｔｙ）
７  オブジェクト提供者（サービス提供者）
１４  ユーザデータベース
２１  通信モジュール
２２  転送モジュール
２３  処理ユニット
２４  網膜決定モジュール
２５  オブジェクト提供者（サービス提供者）データベース
２６  ユーザデータベース
２７  オブジェクトデータベース
４１  通信モジュール
４２  トランザクションモジュール
４３  処理ユニット
４４  網膜決定モジュール
４５  データ生成モジュール
４６  バーチャル網膜ディスプレイ装置
４７  スキャナ
５１  網膜
５２  瞳
５３  虹彩
５４  投影された／反射された像点
６１  眼の特徴データベース（網膜データベース）
１１０  トランザクションオブジェクト
１２０  オブジェクト画像データ
１２１  画像信号
１３０  オブジェクトデータ
１３１  オブジェクト識別子
１３２  オブジェクト提供者識別子
１４０  ユーザデータセット
１４１  網膜パターン
１５０  ユーザデータ
１６０  トランザクションデータセット
１７０  反射データ
１７１  反射光
１７２  点線による矢印
１８０、１８０´  網膜パターン
１９０  トランザクションドキュメント
４６１  眼のポジション決定モジュール
４７１  ビームスプリッタ
４７２  感光性エレメント
Ｓ１〜Ｓ５  ステップ
【図１】
0004261102.tif 000002
【図２】
0004261102.tif 000003